(57)【要約】  発光ダイオード（光源）（４）と、発光ダイオード（４）が実装される実装面（５ａ）を有するＬＥＤ基板（光源基板）（５）と、発光ダイオード（４）からの光が入光される入光面（６ｂ１）と、入光面（６ｂ１）から入光された光を液晶パネル（被照射物）（２）に対して発光する発光面（６ｃ）を有する導光板（６）と、導光板（６）の発光面（６ｃ）に対向する対向面（６ｄ）側に設けられて、光を反射する反射板（７）を備え、反射板（７）には、ＬＥＤ基板（５）の実装面（５ａ）に密接するように設けられるとともに、発光ダイオード（４）を囲むように、当該反射板（７）の端部を折り曲げた折り曲げ部（７ｂ）が形成されている。
2012057017.tif 000002
【特許請求の範囲】
【請求項１】
光源と、
前記光源が実装される実装面を有する光源基板と、
前記光源からの光が入光される入光面と、前記入光面から入光された光を被照射物に対して発光する発光面を有する導光板と、
前記導光板の前記発光面に対向する対向面側に設けられて、光を反射する反射板を備え、
前記反射板には、前記光源基板の実装面に密接するように設けられるとともに、前記光源を囲むように、当該反射板の端部を折り曲げた折り曲げ部が形成されている、
ことを特徴とする照明装置。
【請求項２】
前記反射板は、前記導光板の前記対向面に対向するように設けられた主面を備え、
前記折り曲げ部は、前記主面に連続するように設けられるとともに、前記光源の下側に設置された下面と、前記下面に連続するように設けられるとともに、前記光源の背面側で前記光源基板の前記実装面に密接する背面と、前記背面に連続するように設けられるとともに、前記光源の上側に設置された上面を有する請求項１に記載の照明装置。
【請求項３】
前記背面は、接着剤によって前記光源基板の前記実装面に固定されている請求項２に記載の照明装置。
【請求項４】
前記反射板では、少なくとも前記折り曲げ部の表面上に、鏡面反射部が設けられている請求項１〜３のいずれか１項に記載の照明装置。
【請求項５】
前記反射板では、前記導光板の光源が対向して配置されていない非入光面を覆うように設けられて、前記導光板の内部からの光を当該導光板側に反射する反射部が設けられている請求項１〜４のいずれか１項に記載の照明装置。
【請求項６】
前記光源として、発光ダイオードが用いられている請求項１〜５のいずれか１項に記載の照明装置。
【請求項７】
請求項１〜６のいずれか１項に記載の照明装置を用いたことを特徴とする表示装置。
【請求項８】
前記被照射物として、液晶パネルが用いられている請求項７に記載の表示装置。
【発明の詳細な説明】
【技術分野】
【０００１】
本発明は、照明装置、特に光源と、光源の光を液晶パネルなどの被照射物に出射する導光板を備えた照明装置、及びこれを用いた表示装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、光を発光する照明装置（バックライト）と、照明装置に設けられた光源からの光に対しシャッターの役割を果たすことで所望画像を表示する液晶パネルとが含まれている。【０００３】
また、上記照明装置では、光の被照射物としての液晶パネルに対する光源の配置の仕方により直下型とエッジライト型に大別されるが、例えば携帯電話やノート型ＰＣ、ＰＤＡなどのモバイル機器に用いられる液晶表示装置では、直下型に比べ薄型化を図り易いエッジライト型が一般的に使用されている。すなわち、エッジライト型の照明装置では、光源を液晶パネルの側方に配置することにて薄型化が図られており、液晶パネルの非表示面に対向配置される発光面を備えた導光板を用いて光源からの光を当該液晶パネルに与えるようになっている。【０００４】
また、従来の照明装置には、例えば下記特許文献１に記載されているように、導光板に開口部を設けるとともに、この開口部内に光源としての発光ダイオードが挿入されていた。さらに、この従来の照明装置では、導光板の発光ダイオードの挿入部分の上面及び下面において、発光ダイオードが実装されたＬＥＤ基板（光源基板）側に向かって、導光板の厚みが小さくなるように傾斜面を構成することが提案されている。そして、この従来の照明装置では、発光ダイオードからの光が導光板内で全反射し易くして、当該発光ダイオードの光利用効率を向上可能とされていた。
【先行技術文献】
【特許文献】
【０００５】
【特許文献１】特開２００７−２５０４５８号公報
【発明の概要】
【発明が解決しようとする課題】
【０００６】
ところで、上記のような従来の照明装置では、導光板の上記上面及び下面での各傾斜面は空気と接触していた。このため、この従来の照明装置では、導光板の材質や屈折率あるいは傾斜面の傾斜角度などによっては、発光ダイオード（光源）の光利用効率を向上できないことがあった。すなわち、従来の照明装置では、傾斜面と空気との界面において、臨界角を越えない光は、当該界面で全反射せずに、導光板を透過して、外部に漏れ出てしまうことがあった。この結果、従来の照明装置では、発光ダイオードからの光を導光板に効率よく入光させることができずに、発光ダイオードの光利用効率を向上できなかった。【０００７】
上記の課題を鑑み、本発明は、光源からの光を導光板に効率よく入光させることができる光利用効率に優れた照明装置、及びこれを用いた表示装置を提供することを目的とする。
【課題を解決するための手段】
【０００８】
上記の目的を達成するために、本発明にかかる照明装置は、光源と、
前記光源が実装される実装面を有する光源基板と、
前記光源からの光が入光される入光面と、前記入光面から入光された光を被照射物に対して発光する発光面を有する導光板と、
前記導光板の前記発光面に対向する対向面側に設けられて、光を反射する反射板を備え、
前記反射板には、前記光源基板の実装面に密接するように設けられるとともに、前記光源を囲むように、当該反射板の端部を折り曲げた折り曲げ部が形成されていることを特徴とするものである。【０００９】
上記のように構成された照明装置では、反射板が導光板の上記対向面側に設けられている。また、この反射板には、光源基板の実装面に密接するように設けられるとともに、光源を囲むように、当該反射板の端部を折り曲げた折り曲げ部が形成されている。これにより、上記従来例と異なり、導光板の材質などに関わらず、光源からの光を導光板に効率よく入光させることができ、光利用効率に優れた照明装置を構成することができる。【００１０】
また、上記照明装置において、前記反射板は、前記導光板の前記対向面に対向するように設けられた主面を備え、
前記折り曲げ部は、前記主面に連続するように設けられるとともに、前記光源の下側に設置された下面と、前記下面に連続するように設けられるとともに、前記光源の背面側で前記光源基板の前記実装面に密接する背面と、前記背面に連続するように設けられるとともに、前記光源の上側に設置された上面を有することが好ましい。【００１１】
この場合、折り曲げ部に設けられた下面、背面、及び上面により、光源からの光を導光板に確実に入光させることができ、光利用効率も確実に向上させることができる。【００１２】
また、上記照明装置において、前記背面は、接着剤によって前記光源基板の前記実装面に固定されていることが好ましい。【００１３】
この場合、背面と実装面との間に隙間が生じるのを確実に防ぐことができるので、当該隙間からの漏れ光の発生を確実に防いで光利用効率をより確実に向上させることができる。【００１４】
また、上記照明装置において、前記反射板では、少なくとも前記折り曲げ部の表面上に、鏡面反射部が設けられてもよい。【００１５】
この場合、鏡面反射部によって導光板に光源からの光をより効率よく入光させることができる。【００１６】
また、上記照明装置において、前記反射板では、前記導光板の光源が対向して配置されていない非入光面を覆うように設けられて、前記導光板の内部からの光を当該導光板側に反射する反射部が設けられていることが好ましい。【００１７】
この場合、反射部によって上記非入光面から導光板の外部に漏れ出た光を当該導光板の内部に再入光させることができ、光源の光利用効率をさらに向上させることができる。【００１８】
また、上記照明装置において、前記光源として、発光ダイオードが用いられてもよい。【００１９】
この場合、消費電力が少なく、環境に優しい照明装置を容易に構成することができる。【００２０】
また、本発明の表示装置は、上記いずれかに記載の照明装置を用いたことを特徴とする。【００２１】
上記のように構成された表示装置では、光源からの光を導光板に効率よく入光させることができる光利用効率に優れた照明装置が用いられているので、高輝度で、省電力化された表示装置を容易に構成することができる。【００２２】
また、上記表示装置において、前記被照射物として、液晶パネルが用いられてもよい。【００２３】
この場合、高輝度で、省電力化された液晶表示装置を容易に構成することができる。
【発明の効果】
【００２４】
本発明によれば、光源からの光を導光板に効率よく入光させることができる光利用効率に優れた照明装置、及びこれを用いた表示装置を提供することが可能となる。
【図面の簡単な説明】
【００２５】
【図１】図１は、本発明の第１の実施形態にかかる照明装置、及び液晶表示装置を説明する図である。
【図２】図２は、図１に示した液晶パネルの構成を説明する図である。
【図３】図３は、上記照明装置の要部構成を説明する平面図である。
【図４】図４は、上記照明装置の要部構成を説明する部分拡大図である。
【図５】図５は、図４に示した発光ダイオードの正面図である。
【図６】図６は、図４に示した反射板の要部構成を示す側面図である。
【図７】図７は、図４に示した導光板側から見た場合における、上記反射板の正面図である。
【図８】図８は、本発明の第２の実施形態にかかる照明装置、及び液晶表示装置を説明する図である。
【図９】図９は、図８に示した照明装置の要部構成を説明する平面図である。
【図１０】図１０は、図８に示した照明装置の要部構成を説明する部分拡大図である。
【図１１】図１１は、図１０に示した発光ダイオードの正面図である。
【図１２】図１２は、図１０に示した反射板の要部構成を示す側面図である。
【図１３】図１３は、図１０に示した導光板側から見た場合における、上記反射板の正面図である。
【図１４】図１４は、本発明の第３の実施形態にかかる照明装置の要部構成を説明する平面図である。
【図１５】図１５は、図１４に示した照明装置の要部構成を説明する部分拡大図である。
【図１６】図１６は、図１５に示した導光板の内部側から見た場合における、照明装置の要部構成の正面図である。
【図１７】図１７は、図１５に示した反射板の要部構成を示す側面図である。
【図１８】図１８は、図１５に示した導光板側から見た場合における、上記反射板の正面図である。
【図１９】図１９は、本発明の第４の実施形態にかかる照明装置の要部構成を説明する部分拡大図である。
【図２０】図２０は、図１９に示した発光ダイオードの正面図である。
【図２１】図２１は、図１９に示した反射板の要部構成を示す側面図である。
【図２２】図２２は、図１９に示した導光板側から見た場合における、上記反射板の正面図である。
【発明を実施するための形態】
【００２６】
以下、本発明の照明装置、及びこれを用いた液晶表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２７】
［第１の実施形態］
図１は、本発明の第１の実施形態にかかる照明装置、及び液晶表示装置を説明する図である。図１において、本実施形態の液晶表示装置１は、図１の上側が視認側（表示面側）として設置される液晶パネル２と、液晶パネル２の非表示面側（図１の下側）に配置されて、当該液晶パネル２を照明する照明光を発生する本発明の照明装置３とが設けられている。また、液晶表示装置１では、液晶パネル２と照明装置３とが互いに組み付けられており、当該照明装置３からの照明光が液晶パネル２に入射される透過型の液晶表示装置１として一体化されている。
【００２８】
液晶パネル２は、液晶層と、この液晶層を狭持する一対の基板としてのアクティブマトリクス基板及びカラーフィルタ基板を備えている（図示せず）。アクティブマトリクス基板では、液晶パネル２の表示面に含まれる複数の画素に応じて、図示しない画素電極や薄膜トランジスタ（ＴＦＴ：Thin Film Transistor）などが上記液晶層との間に形成されている。一方、カラーフィルタ基板には、カラーフィルタや対向電極などが上記液晶層との間に形成されている（図示せず）。
【００２９】
また、液晶パネル２では、当該液晶パネル２の駆動制御を行う制御装置（図示せず）が設けられており、上記液晶層を画素単位に動作することで表示面を画素単位に駆動して、当該表示面上に所望画像を表示するようになっている。
【００３０】
尚、液晶パネル２の液晶モードや画素構造は任意である。また、液晶パネル２の駆動モードも任意である。すなわち、液晶パネル２としては、情報を表示できる任意の液晶パネルを用いることができる。それ故、図１においては液晶パネル２の詳細な構造を図示せず、その説明も省略する。
【００３１】
次に、図２も参照して、本実施形態の液晶パネル２について具体的に説明する。
【００３２】
図２は、図１に示した液晶パネルの構成を説明する図である。
【００３３】
図２において、液晶表示装置１（図１）には、文字や画像等の情報を表示する上記表示部としての液晶パネル２（図１）の駆動制御を行うパネル制御部１２と、このパネル制御部１２からの指示信号を基に動作するソースドライバ１３及びゲートドライバ１４が設けられている。
【００３４】
パネル制御部１２は、上記制御装置内に設けられたものであり、液晶表示装置１の外部からの映像信号が入力されるようになっている。また、パネル制御部１２は、入力された映像信号に対して所定の画像処理を行ってソースドライバ１３及びゲートドライバ１４への各指示信号を生成する画像処理部１２ａと、入力された映像信号に含まれた１フレーム分の表示データを記憶可能なフレームバッファ１２ｂとを備えている。そして、パネル制御部１２が、入力された映像信号に応じて、ソースドライバ１３及びゲートドライバ１４の駆動制御を行うことにより、その映像信号に応じた情報が液晶パネル２に表示される。
【００３５】
ソースドライバ１３及びゲートドライバ１４は、例えば上記アクティブマトリクス基板上に設置されている。具体的には、ソースドライバ１３は、アクティブマトリクス基板の表面上において、表示パネルとしての液晶パネル２の有効表示領域Ａの外側領域で当該液晶パネル２の横方向に沿うように設置されている。また、ゲートドライバ１４は、アクティブマトリクス基板の表面上において、上記有効表示領域Ａの外側領域で当該液晶パネル２の縦方向に沿うように設置されている。
【００３６】
また、ソースドライバ１３及びゲートドライバ１４は、液晶パネル２側に設けられた複数の画素Ｐを画素単位に駆動する駆動回路であり、ソースドライバ１３及びゲートドライバ１４には、複数のソース配線Ｓ１〜ＳＭ（Ｍは、２以上の整数、以下、“Ｓ”にて総称する。）及び複数のゲート配線Ｇ１〜ＧＮ（Ｎは、２以上の整数、以下、“Ｇ”にて総称する。）がそれぞれ接続されている。これらのソース配線Ｓ及びゲート配線Ｇは、それぞれデータ配線及び走査配線を構成しており、アクティブマトリクス基板に含まれた透明なガラス材または透明な合成樹脂製の基材（図示せず）上で互いに交差するように、マトリクス状に配列されている。すなわち、ソース配線Ｓは、マトリクス状の列方向（液晶パネル２の縦方向）に平行となるように上記基材上に設けられ、ゲート配線Ｇは、マトリクス状の行方向（液晶パネル２の横方向）に平行となるように上記基材上に設けられている。
【００３７】
また、これらのソース配線Ｓと、ゲート配線Ｇとの交差部の近傍には、スイッチング素子としての上記薄膜トランジスタ１５と、薄膜トランジスタ１５に接続された画素電極１６を有する上記画素Ｐが設けられている。また、各画素Ｐでは、共通電極１７が液晶パネル２に設けられた上記液晶層を間に挟んだ状態で画素電極１６に対向するよう構成されている。すなわち、アクティブマトリクス基板では、薄膜トランジスタ１５、画素電極１６、及び共通電極１７が画素単位に設けられている。
【００３８】
また、アクティブマトリクス基板では、ソース配線Ｓと、ゲート配線Ｇとによってマトリクス状に区画された各領域に、複数の各画素Ｐの領域が形成されている。これら複数の画素Ｐには、赤色（Ｒ）、緑色（Ｇ）、及び青色（Ｂ）の画素が含まれている。また、これらのＲＧＢの画素は、例えばこの順番で、各ゲート配線Ｇ１〜ＧＮに平行に順次配設されている。さらに、これらのＲＧＢの画素は、カラーフィルタ基板側に設けられたカラーフィルタ層（図示せず）により、対応する色の表示を行えるようになっている。
【００３９】
また、アクティブマトリクス基板では、ゲートドライバ１４は、画像処理部１２ａからの指示信号に基づいて、ゲート配線Ｇ１〜ＧＮに対して、対応する薄膜トランジスタ１５のゲート電極をオン状態にする走査信号（ゲート信号）を順次出力する。また、ソースドライバ１３は、画像処理部１２ａからの指示信号に基づいて、表示画像の輝度（階調）に応じたデータ信号（電圧信号（階調電圧））を対応するソース配線Ｓ１〜ＳＭに出力する。
【００４０】
図１に戻って、照明装置３には、光源としての発光ダイオード４と、発光ダイオード４が実装された光源基板としてのＬＥＤ基板５と、発光ダイオード４からの光を所定の伝搬方向（図１の左右方向）に導くとともに、液晶パネル（被照射物）２側に当該光を出射する導光板６が設けられている。この導光板６には、例えば透明なポリメタクリル酸メチル樹脂（ＰＭＭＡ）などのアクリル樹脂等の合成樹脂が用いられている。また、導光板６では、互いに対向する２つの各側面部はＬＥＤ基板５側に向かって、厚さ寸法が小さくなるよう構成された傾斜部が設けられている。また、この導光板６の具体的な厚さ寸法は、例えば１ｍｍ〜４ｍｍである。
【００４１】
また、この導光板６では、上記２つの各側面部に穴部６ａが形成されており、この穴部６ａの内部に発光ダイオード４が挿入されている。そして、導光板６では、発光ダイオード４からの光が後述の入光面から入光されるようになっている。また、導光板６は、上記入光面から入光された発光ダイオード４からの光を液晶パネル２に対して発光する発光面６ｃと、この発光面６ｃに対向する対向面６ｄを備えている。
【００４２】
また、照明装置３は、導光板６の対向面６ｄ及び導光板６の２つの各側面部を覆うように設けられた反射板７を備えている。この反射板７には、例えばポリエチレンテレフタレート（ＰＥＴ）などが用いられている。また、この反射板７には、例えば反射率９０％〜９９％のものが用いられるとともに、例えば１００μｍ〜１０００μｍの厚さ寸法のものが用いられている。さらに、反射板７は、導光板６の対向面６ｄに対向するように設けられた主面７ａと、導光板６の上述の各側面部を囲むように設けられた折り曲げ部７ｂを備えており、発光ダイオード４の光利用効率を確実に向上させることができるようになっている（詳細は後述。）。
【００４３】
また、照明装置３には、レンズシートや拡散シートなどの光学シート８が導光板６の液晶パネル２側に設けられており、導光板６の内部を上記伝搬方向に導かれた発光ダイオード４からの光が均一な輝度をもつ平面状の上記照明光に変えられて液晶パネル２に与えられるように構成されている。さらに、照明装置３には、シャーシ９が設けられており、このシャーシ９は、ＬＥＤ基板５と組み付けられることにより、当該照明装置３の各部を収容する収容容器を構成するようになっている。
【００４４】
また、液晶表示装置１では、断面Ｌ字状のＰ（プラスチック）シャーシ１０がＬＥＤ基板５上に設けられており、このＰシャーシ１０には、液晶パネル２が載置されている。そして、液晶表示装置１では、断面Ｌ字状のベゼル１１の内部で、液晶パネル２及び照明装置３が互いに一体的に組み付けられている。
【００４５】
ここで、図３〜図７も参照して、本実施形態の照明装置３の要部構成について、具体的に説明する。
【００４６】
図３は、上記照明装置の要部構成を説明する平面図である。図４は、上記照明装置の要部構成を説明する部分拡大図である。図５は、図４に示した発光ダイオードの正面図である。図６は、図４に示した反射板の要部構成を示す側面図である。図７は、図４に示した導光板側から見た場合における、上記反射板の正面図である。
【００４７】
図３に示すように、ＬＥＤ基板５には、複数、例えば１１個の発光ダイオード４が取り付けられている。また、同図３に示すように、導光板６では、上記穴部６ａ（図１）は例えば発光ダイオード４毎に形成されている。
【００４８】
図４及び図５において、発光ダイオード４には、例えば白色の光を発光するトップビュータイプ（上面発光タイプ）ものが用いられており、発光ダイオード４は、発光体４ａを有している。また、発光ダイオード４は、ＬＥＤ基板５の実装面５ａに表面実装されている。さらに、発光ダイオード４は、導光板６の穴部６ａ内に挿入されており、当該穴部６ａを囲む導光板６の入光面６ｂ１、６ｂ２、６ｂ３に光を入光させるようになっている。
【００４９】
図４〜図７に示すように、反射板７は、上記主面７ａと、当該反射板７の端部を折り曲げることによって形成された上記折り曲げ部７ｂを備えている。折り曲げ部７ｂは、発光ダイオード４を囲むように構成されている。
【００５０】
具体的にいえば、折り曲げ部７ｂは、主面７ａに連続するように設けられるとともに、発光ダイオード４の下側に設置された下面７ｂ１と、下面７ｂ１に連続するように設けられるとともに、発光ダイオード４の背面側でＬＥＤ基板５の実装面５ａに密接する背面７ｂ２と、背面７ｂ２に連続するように設けられるとともに、発光ダイオード４の上側に設置された上面７ｂ３を有している。つまり、図６に例示するように、折り曲げ部７ｂでは、背面７ｂ２が、下面７ｂ１に対して、例えば直交するように設けられ、上面７ｂ３が、背面７ｂ２に対して、例えば直交するように設けられている。
【００５１】
背面７ｂ２は、接着剤によってＬＥＤ基板５の実装面５ａに固定されている。また、この背面７ｂ２には、図６及び図７に示すように、発光ダイオード４を挿通するための貫通孔７ｂ４が形成されている。そして、折り曲げ部７ｂでは、図５の点線の矢印にて例示するように、下面７ｂ１及び上面７ｂ３は、導光板６の内部から漏れ出た光を当該導光板６の内部側に反射するように構成されている。
【００５２】
以上のように構成された本実施形態の照明装置３では、反射板７が導光板６の対向面６ｄ側に設けられている。また、この反射板７には、ＬＥＤ基板（光源基板）５の実装面５ａに密接するように設けられるとともに、発光ダイオード（光源）４を囲むように、当該反射板７の端部を折り曲げた折り曲げ部７ｂが形成されている。これにより、本実施形態では、上記従来例と異なり、導光板６の材質などに関わらず、発光ダイオード４からの光を導光板６に効率よく入光させることができ、光利用効率に優れた照明装置３を構成することができる。
【００５３】
また、本実施形態では、発光ダイオード４の光利用効率に優れた照明装置３を構成することができるので、発光ダイオード４の設置数を削減することができ、照明装置３のコストダウンを容易に図ることができる。
【００５４】
また、本実施形態では、反射板７は導光板６の対向面６ｄに対向するように設けられた主面７ａを備えている。また、折り曲げ部７ｂは、主面７ａに連続するように設けられるとともに、発光ダイオード４の下側に設置された下面７ｂ１と、下面７ｂ１に連続するように設けられるとともに、発光ダイオード４の背面側でＬＥＤ基板５の実装面５ａに密接する背面７ｂ２と、背面７ｂ２に連続するように設けられるとともに、発光ダイオード４の上側に設置された上面７ｂ３を有している。これにより、本実施形態では、折り曲げ部７ｂに設けられた下面７ｂ１、背面７ｂ２、及び上面７ｂ３により、発光ダイオード４からの光を導光板６に確実に入光させることができ、光利用効率も確実に向上させることができる。
【００５５】
また、本実施形態では、背面７ｂ２が接着剤によってＬＥＤ基板５の実装面５ａに固定されている。これにより、本実施形態では、背面７ｂ２と実装面５ａとの間に隙間が生じるのを確実に防ぐことができるので、当該隙間からの漏れ光の発生を確実に防いで光利用効率をより確実に向上させることができる。さらに、発光ダイオード４からの熱をＬＥＤ基板５、反射板７、シャーシ９、及びＰシャーシ１０を介して放熱させることができ、発光ダイオード４の発光特性を安定させることができる。
【００５６】
また、本実施形態では、発光ダイオード４からの光を導光板６に効率よく入光させることができる光利用効率に優れた照明装置３が用いられているので、高輝度で、省電力化された液晶表示装置１を容易に構成することができる。
【００５７】
［第２の実施形態］
図８は、本発明の第２の実施形態にかかる照明装置、及び液晶表示装置を説明する図である。図９は、図８に示した照明装置の要部構成を説明する平面図である。図１０は、図８に示した照明装置の要部構成を説明する部分拡大図である。図１１は、図１０に示した発光ダイオードの正面図である。図１２は、図１０に示した反射板の要部構成を示す側面図である。図１３は、図１０に示した導光板側から見た場合における、上記反射板の正面図である。
【００５８】
図において、本実施形態と上記第１の実施形態との主な相違点は、導光板に穴部を設けずに、導光板の入光面に発光ダイオードを対向して配置した点である。なお、上記第１の実施形態と共通する要素については、同じ符号を付して、その重複した説明を省略する。
【００５９】
つまり、図８に示すように、本実施形態の照明装置３では、断面矩形状の導光板１８が用いられている。この導光板１８には、発光ダイオード（光源）４に対向するとともに、この発光ダイオード４からの光を入光する入光面１８ａと、入光面１８ａから入光された光を液晶パネル（被照射物）２に対して発光する発光面１８ｂと、発光面１８ｂに対向する対向面１８ｃとが設けられている。
【００６０】
図９〜図１３に示すように、反射板１９は、導光板１８の対向面１８ｃに対向するように設けられた主面１９ａと、当該反射板７の端部を折り曲げることによって形成された上記折り曲げ部１９ｂを備えている。折り曲げ部１９ｂは、発光ダイオード４を囲むように構成されている。
【００６１】
具体的にいえば、折り曲げ部１９ｂは、主面１９ａに連続するように設けられるとともに、発光ダイオード４の下側に設置された下面１９ｂ１と、下面１９ｂ１に連続するように設けられるとともに、発光ダイオード４の背面側でＬＥＤ基板５の実装面５ａに密接する背面１９ｂ２と、背面１９ｂ２に連続するように設けられるとともに、発光ダイオード４の上側に設置された上面１９ｂ３を有している。つまり、図１２に例示するように、折り曲げ部１９ｂでは、背面１９ｂ２が、下面１９ｂ１に対して、例えば所定の角度で傾斜するように設けられ、上面１９ｂ３が、背面１９ｂ２に対して、例えば所定の角度で傾斜するように設けられている。
【００６２】
背面１９ｂ２は、接着剤によってＬＥＤ基板５の実装面５ａに固定されている。また、この背面１９ｂ２には、図１２及び図１３に示すように、発光ダイオード４を挿通するための貫通孔１９ｂ４が形成されている。そして、折り曲げ部１９ｂでは、図１０の点線の矢印にて例示するように、下面１９ｂ１及び上面１９ｂ３は、導光板１８の内部から漏れ出た光を当該導光板１８の内部側に反射するように構成されている。
【００６３】
以上の構成により、本実施形態では、上記第１の実施形態と同様な作用・効果を奏することができる。また、本実施形態では、断面矩形状の導光板１８を用いているので、導光板６の２つの各側面部に傾斜部及び穴部６ａを設けた第１の実施形態のものより、導光板１８の製造コストを低減することができ、コスト安価な照明装置３を構成することができる。
【００６４】
［第３の実施形態］
図１４は、本発明の第３の実施形態にかかる照明装置の要部構成を説明する平面図である。図１５は、図１４に示した照明装置の要部構成を説明する部分拡大図である。図１６は、図１５に示した導光板の内部側から見た場合における、照明装置の要部構成の正面図である。図１７は、図１５に示した反射板の要部構成を示す側面図である。図１８は、図１５に示した導光板側から見た場合における、上記反射板の正面図である。
【００６５】
図において、本実施形態と上記第２の実施形態との主な相違点は、導光板の非入光面を覆うように設けられた反射部を反射板に設けた点である。なお、上記第２の実施形態と共通する要素については、同じ符号を付して、その重複した説明を省略する。
【００６６】
すなわち、図１４に示すように、本実施形態の反射板２０では、第２の実施形態と同様に、折り曲げ部２０ｂが発光ダイオード４側に設けられている。また、この反射板２０では、導光板１８の発光ダイオード４と対向していない非入光面１８ｄ側に、反射部２０ｃが設けられている。
【００６７】
具体的にいえば、図１５〜図１８も参照して、反射板２０は、導光板１８の対向面１８ｃに対向する主面２０ａと、当該反射板７の端部を折り曲げることによって形成された上記反射部２０ｃを備えている。反射部２０ｃは、導光板１８の非入光面１８ｄを覆うように設けられて、導光板１８の内部からの光を当該導光板１８側に反射するように構成されている。
【００６８】
より具体的にいえば、反射部２０ｃは、主面２０ａに連続するように設けられるとともに、シャーシ９側に設置された下面２０ｃ１と、下面２０ｃ１に連続するように設けられるとともに、シャーシ９及びＰシャーシ１０に組み付けられる側面体２１に密接する背面２０ｃ２と、背面２０ｃ２に連続するように設けられるとともに、Ｐシャーシ１０側に設置された上面２０ｃ３を有している。つまり、図１７に例示するように、反射部２０ｃでは、背面２０ｃ２が、下面２０ｃ１に対して、例えば直交するように設けられ、上面２０ｃ３が、背面２０ｃ２に対して、例えば直交するように設けられている。
【００６９】
背面２０ｃ２は、接着剤によって側面体２１に固定されている。そして、反射部２０ｃでは、図１５の点線の矢印にて例示するように、背面２０ｃ２及び上面２０ｃ３は、導光板１８の内部から漏れ出た光を当該導光板１８の内部側に反射するように構成されている。
【００７０】
以上の構成により、本実施形態では、上記第２の実施形態と同様な作用・効果を奏することができる。また、本実施形態では、反射板２０において、反射部２０ｃが導光板１８の発光ダイオード（光源）４が対向して配置されていない非入光面１８ｄを覆うように設けられて、導光板１８の内部からの光を当該導光板１８側に反射するようになっている。これにより、本実施形態では、反射部２０ｃによって上記非入光面１８ｄから導光板１８の外部に漏れ出た光を当該導光板１８の内部に再入光させることができ、発光ダイオード４の光利用効率をさらに向上させることができる。
【００７１】
［第４の実施形態］
図１９は、本発明の第４の実施形態にかかる照明装置の要部構成を説明する部分拡大図である。図２０は、図１９に示した発光ダイオードの正面図である。図２１は、図１９に示した反射板の要部構成を示す側面図である。図２２は、図１９に示した導光板側から見た場合における、上記反射板の正面図である。
【００７２】
図において、本実施形態と上記第２の実施形態との主な相違点は、反射板の表面上に鏡面反射部を設けた点である。なお、上記第２の実施形態と共通する要素については、同じ符号を付して、その重複した説明を省略する。
【００７３】
つまり、図１９〜図２２に示すように、本実施形態の照明装置３では、反射板１９の表面上に、鏡面反射部２２が設けられている。この鏡面反射部２２には、例えば銀などの光反射率に優れた金属膜が用いられている。また、この鏡面反射部２２は、図１９に点線の矢印にて示すように、導光板１８の内部から漏れ出た光を当該導光板１８の内部側に鏡面反射するようになっている。
【００７４】
以上の構成により、本実施形態では、上記第２の実施形態と同様な作用・効果を奏することができる。また、本実施形態では、鏡面反射部２２が反射板１９の表面上に設けられているので、鏡面反射部２２によって導光板１８に発光ダイオード（光源）４からの光をより効率よく入光させることができる。
【００７５】
尚、上記の説明以外に、折り曲げ部１９ｂの表面上だけに鏡面反射部２２を設ける構成でもよい。
【００７６】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００７７】
例えば、上記の説明では、本発明を透過型の液晶表示装置に適用した場合について説明したが、本発明の照明装置はこれに限定されるものではなく、半透過型の液晶表示装置、あるいは液晶パネルをライトバルブに用いた投写型表示装置などの各種表示装置に適用することができる。
【００７８】
また、上記の説明以外に、本発明は、レントゲン写真に光を照射するシャウカステンあるいは写真ネガ等に光を照射して視認をし易くするためのライトボックスや、看板や駅構内の壁面などに設置される広告等をライトアップする発光装置の照明装置として好適に用いることができる。
【００７９】
また、上記の説明では、光源として発光ダイオードを用いた場合について説明したが、本発明の光源はこれに限定されるものではなく、例えば冷陰極蛍光管や熱陰極蛍光管などの放電管を用いることもできる。
【００８０】
但し、上記の各実施形態のように、光源として、発光ダイオードを用いる場合の方が、消費電力が少ない照明装置を容易に構成することができる点で好ましい。また、発光ダイオードは水銀レスであることから、環境に優しい照明装置を容易に構成することができる点でも好ましい。
【００８１】
また、上記の説明では、導光板の互いに対向する２つの各側面部から光源の光を入光させる場合について説明したが、本発明はこれに限定されるものではなく、導光板の少なくとも１つの側面部から光源の光を入光させるものであればよい。
【産業上の利用可能性】
【００８２】
本発明は、光源からの光を導光板に効率よく入光させることができる光利用効率に優れた照明装置、及びこれを用いた表示装置に対して有用である。
【符号の説明】
【００８３】
１  液晶表示装置
２  液晶パネル（被照射物）
３  照明装置
４  発光ダイオード（光源）
５  ＬＥＤ基板（光源基板）
５ａ  実装面
６、１８  導光板
６ｂ１、６ｂ２、６ｂ３、１８ａ  入光面
６ｃ、１８ｂ  発光面
６ｄ、１８ｃ  対向面
１８ｄ  非入光面
７、１９、２０  反射板
７ａ、１９ａ、２０ａ  主面
７ｂ、１９ｂ、２０ｂ  折り曲げ部
７ｂ１、１９ｂ１  下面
７ｂ２、１９ｂ２  背面
７ｂ３、１９ｂ３  上面
２０ｃ  反射部
２２  鏡面反射部
【図１】
2012057017.tif 000003
【図２】
2012057017.tif 000004
【図３】
2012057017.tif 000005
【図４】
2012057017.tif 000006
【図５】
2012057017.tif 000007
【図６】
2012057017.tif 000008
【図７】
2012057017.tif 000009
【図８】
2012057017.tif 000010
【図９】
2012057017.tif 000011
【図１０】
2012057017.tif 000012
【図１１】
2012057017.tif 000013
【図１２】
2012057017.tif 000014
【図１３】
2012057017.tif 000015
【図１４】
2012057017.tif 000016
【図１５】
2012057017.tif 000017
【図１６】
2012057017.tif 000018
【図１７】
2012057017.tif 000019
【図１８】
2012057017.tif 000020
【図１９】
2012057017.tif 000021
【図２０】
2012057017.tif 000022
【図２１】
2012057017.tif 000023
【図２２】
2012057017.tif 000024
【国際調査報告】
2012057017.tif 000025
2012057017.tif 000026
2012057017.tif 000027
2012057017.tif 000028